(57)【要約】      （修正有）【課題】快適な運動エネルギー構造を有するソールを提供する。【解決手段】快適な運動エネルギー構造を有するソール１であり、フットスキャン解析に基づいて、足の骨格排列に符合し、足の自然な曲率をフィットし、前足支持領域１１、中足支持領域１２、およびかかと支持領域１３として設けられ、前足支持領域１１は、同じ厚さの平坦な支持面で前足にフィットし、中足支持領域１２は、中足のアーチの起点からアーチの高点を通ってアーチの終点まで徐々に厚さを増し、かつ、湾曲した突起によってアーチにフィットし、かかと支持領域１３は最大厚さのカップ状の支持面でかかとにフィットする。【選択図】図４
0003218973.tif 000002
【実用新案登録請求の範囲】
【請求項１】
一種の快適な運動エネルギー構造を有するソールであり、フットスキャン解析に基づいて、足の骨格排列に符合し、足の自然な曲率をフィットし、前足支持領域、中足支持領域、およびかかと支持領域として設けられ、前記前足支持領域は、同じ厚さの平坦な支持面で前足にフィットし、前記中足支持領域は、アーチの起点から、アーチの高点を通り、アーチの終点に達し、徐々に厚さを増し、湾曲した突起によってアーチにフィットし、前記かかと支持領域は最大厚さのカップ状の支持面でかかとにフィットすることを特徴とする快適な運動エネルギー構造を有するソール。
【請求項２】
前記中足支持領域は、内側アーチ支持領域、外側アーチ支持領域および横方向アーチ支持領域に分けることができることを特徴とする、請求項１に記載の快適な運動エネルギー構造を有するソール。
【請求項３】
アーチの骨格構造により、アーチの起点からアーチの高点を通ってアーチの終点まで徐々に厚さが増し、内側アーチの起点の厚さは内側アーチの高点の厚さと内側アーチの終点の厚さよりも薄く、前記湾曲した突起は内側アーチにフィットすることを特徴とする、請求項２に記載の快適な運動エネルギー構造を有するソール。
【請求項４】
アーチの骨格構造により、アーチの起点からアーチの高点を通ってアーチの終点まで徐々に厚さが増し、外側アーチの起点の厚さは外側アーチの高点の厚さと外側アーチの終点の厚さよりも薄く、前記湾曲した突起は外側アーチにフィットすることを特徴とする、請求項２に記載の快適な運動エネルギー構造を有するソール。
【請求項５】
前記内側アーチ支持領域は前記外側アーチ支持領域に向かって傾斜する傾向を有し、勾配を横方向アーチにフィットすることを特徴とする、請求項２に記載の快適な運動エネルギー構造を有するソール。
【考案の詳細な説明】
【技術分野】
【０００１】
本考案は、靴、特に快適な運動エネルギー構造を有するソールに関する。
【０００２】
歩行生物力学によれば、歩行結果は、着地期、安定期および推進期の３つの連続するサイクルの結果であることを示している。要するに、歩行はかかとから始まり、体重は足の外側から足の先端まで移動し、つま先から蹴り出して前進する。歩行の一歩踏み出すごとに体重の０．７倍から１．５倍の重さが足底に落ちる。反力は足首関節および膝関節までに急激に戻る。
【０００３】
ＤＣＳ（Ｄｙａｎａｍｉｃ  Ｃｏｍｆｏｒｔ  Ｓｙｓｔｅｍ）と呼ばれる快適な運動エネルギー構造は、出願人の生体力学的研究開発により、靴マットを足の骨の排列に従って、内曲率、外曲率および横曲率に設計されたのである。本考案は一般の靴マットが単に支持効果を提供すると違って、足の曲率を完全にカバーし、立つ時の静的状態をより簡単にすることができる。走行中の動的状態は、ＣＯＰ（Center of Pressure）をガイドし、省力化とより快適にする目的を達成できる。
【０００４】
さらに、快適運動エネルギー構造は着地期にあり、衝撃吸収材は、体が着地時に生成された反作用力を分散、吸収するために靴のかかとに埋め込まれる。カップ形状のデザインは、着地時の安定性を高め、かかとの脂肪を集中して自己衝撃吸収機能を形成する。安定期において、快適な運動エネルギー構造は、足骨の自然な整列曲線に対する３次元設計に一致し、足を中敷きと緊密に接触させ、均等に圧力を分配する。推進期において、快適な運動エネルギー構造は対応する、第１および第２つま先骨の部位にリバウンド材料を使用する。人間の足の圧力曲線は、ほとんどの人が推進期において、第1つま先と第2つま先の骨の間に力を施す点を示しているためである。この部位でのリバウンド材料の使用は、推進するための省力効果を達成する。
【先行技術文献】
【特許文献】
【０００５】
【特許文献１】台湾特許Ｍ３２８２０３号明細書
【０００６】
図2に示す従来の靴は、靴のアッパーとソールから構成され、ソールは、囲まれたスカートとフラットシューズベッドとからなる。図1に示す足骨の解剖学構造と併せて、上記の平坦なソールは足の骨の構造を支持することができないことは明らかである。従来、インソールはソールの不足を補うために使用されていたが、出願人は２００７年に、台湾第Ｍ３２８２０３号の「解剖学に基づく生体力学的インソール」という実用新案を取得した。内側アーチ支持体、外側部アーチ支持体及び踵骨支持体を設けることにより、足の骨格構造に対応してソールが十分な支持を提供しないという欠点を有していない。市場には同様の機能を持つ多数のサポートインソールがあり、構造パターンや素材も多数ある。
【考案の概要】
【考案が解決しようとする課題】
【０００７】
出願人は長年にわたる製造経験、評価、試作および改造の後、実用新案Ｍ３２８２０３号「解剖学に基づく生体力学的インソール」をベースに、快適な運動エネルギー構造を有する「インソール」を快適な運動エネルギー構造を有する「ソール」に変換することである。すなわち、ソールの形成は足の骨の排列と曲率に応じて行われ、足とソールは完全に一致し、ギャップのない最善なサポート効果を有する。
【課題を解決するための手段】
【０００８】
上記目的を達成するために、本考案は、快適な運動エネルギー構造を有するソールを提供する。
【０００９】
快適な運動エネルギー構造はフットスキャン分析により、足骨の排列に適合し、足の自然なフィット感は、前足支持領域、中足支持領域およびかかと支持領域として設計される。ここで、前足支持領域は、同じ厚さの平坦な支持面で前足にフィットされている。中足サポート領域は、アーチの起点から、アーチの高いポイントを通り、アーチの終点に達し、徐々に厚さを増やし、湾曲した突起でアーチをフィットさせる。かかと支持領域は、かかとに最も適したカップ形状の支持面の最大厚さで、かかととフィットし、かかとの最適なサポートを提供する。
【考案の効果】
【００１０】
本考案の快適な運動エネルギー構造を有するソールによって提供される前足支持領域、中足支持領域およびかかと支持領域は、完全に足のスキャン分析に基づいて、足の骨の排列に適合し、自然に足の湾曲に適合する。衝撃吸収、減圧、弾力性、快適性、地面に触れる反力を減らす利点を有し、歩行動作を調整し、歩行足圧センターの動作軌跡を誘導し、より省力、より快適になる。
【図面の簡単な説明】
【００１１】
【図１】本考案の足の骨の解剖学的な図である。
【図２】従来の靴の概略図である。
【図３】本考案の底面図である。
【図４】本考案Ａ１−Ａ２断面線に沿って示されているソールの構造図である。
【図５】本考案Ｂ１−Ｂ２断面線に沿って示されている前足趾骨に対するソールの構造図である。
【図６】本考案Ｃ１−Ｃ２断面線に沿って示されている前足蹠骨に対するソールの構造図である。
【図７】本考案Ｄ１−Ｄ２断面線に沿って示されているアーチの起点に対するソールの構造図である。
【図８】本考案Ｅ１−Ｅ２断面線に沿って示されているアーチの高点に対するソールの構造図である。
【図９】本考案Ｆ１−Ｆ２断面線に沿って示されているアーチの終点に対するソールの構造図である。
【図１０】本考案Ｇ１−Ｇ２断面線に沿って示されているかかとに対するソールの構造図である。
【考案を実施するための形態】
【００１２】
本考案の技術的手段および構造は、図面および好ましい実施形態と関連して以下で説明される。次に、本考案の効果及び技術特徴についての説明に入る。本技術の熟知者は、以下の説明を読めば本考案の実現が可能となる。
【００１３】
図３に示す本考案の底面図と、図４のＡ１−Ａ２線に沿ったソール構造図（従来のソールのフラットフットベッドとは異なる）を参照すると、本考案のソール1は、足骨の排列及び曲率に従って、前足（ｆｏｒｅｆｏｏｔ）支持領域11と、中足（ｍｉｄｆｏｏｔ）支持領域１２と、かかと（ｈｉｎｄｆｏｏｔ）支持領域１３とに大別される。
【００１４】
図５のＢ１−Ｂ２断面線に沿って示される前足の趾骨に対するソールの構造図、及び図６のＣ１−Ｃ２断面線に沿った前足の蹠骨に対するソールの構造図を参照されたい。
本考案のソールは、前足支持領域１１にあり、この領域は、厚さｔ１ = ｔ２の平らな支持面を備えた前足部にフィットされる。
【００１５】
図７のＤ１−Ｄ２断面線に沿って示されるアーチの出発点に対するソールの構造図と、図８のＥ１−Ｅ２断面線に沿うアーチ高点に対するソールの構造図、及び図９のＦ１−Ｆ２断面線に沿って示されたアーチの終点に対するソールの構造図を参照されたい。中足支持領域１２は、内側アーチ支持領域１２１、外側アーチ支持領域１２２および横方向アーチ支持領域１２３に細分することができ、ソールは、アーチの起点からアーチの高点を通り、アーチの終点まで、徐々に厚さを増やす。内側アーチの起点の厚さｔ３は、内側アーチの高点の厚さｔ４および内側アーチの終点の厚さｔ５よりも小さく、すなわちｔ３ <ｔ４ <ｔ５である。湾曲した突起により、内側のアーチにフィットする。同様に、外側アーチ起点の厚さｔ６は、外側アーチ高点の厚さｔ７および外側アーチ終点の厚さｔ８よりも薄く、すなわちｔ６ <ｔ７ <ｔ８であり、湾曲した突起により、外側のアーチにフィットする。さらに、内側アーチは、外側アーチに向かって傾斜する傾向を有し、内側が高く、外側が低い勾配により、横方向アーチにフィットする。
【００１６】
図１０のＧ１−Ｇ２断面線に沿うかかとに対するソールの構造図を参照されたい。ソールはかかと支持領域にあり、この領域で、最大厚さｔ９のカップ状の支持面により、かかとにフィットし、最適なサポートを提供する。
【００１７】
要約すると、本考案の快適な運動エネルギー構造を有するソールによって提供される前足支持領域、中足支持領域およびかかと支持領域は、完全に足のスキャン分析に基づいて、足の骨の排列に適合し、自然に足の湾曲に適合する。衝撃吸収、減圧、弾力性、快適性、地面に触れる反力を減らす利点を有し、歩行動作を調整し、歩行足圧センターの動作軌跡を誘導し、より省力、より快適になる。
【００１８】
本考案の技術的内容及び技術的特徴は上記のように明らかにされているが、技術に精通した者は、本考案の開示に基づいて考案の創造的精神から逸脱しない様々な代替及び改変を行うことができる。したがって、本考案請求項の保護の範囲は、実施形態に開示されたものに限定されるべきではなく、以下の実用新案出願によってカバーされ、考案から逸脱しない様々な置換および修飾を含むべきである。
【符号の説明】
【００１９】
１  ソール
１１前足支持領域
１２中足支持領域
１２１内側アーチ支持領域
１２２外側アーチ支持領域
１２３横方向アーチ支持領域
１３かかと支持領域
ｔ１乃至t９  厚さ
【図１】
0003218973.tif 000003
【図２】
0003218973.tif 000004
【図３】
0003218973.tif 000005
【図４】
0003218973.tif 000006
【図５】
0003218973.tif 000007
【図６】
0003218973.tif 000008
【図７】
0003218973.tif 000009
【図８】
0003218973.tif 000010
【図９】
0003218973.tif 000011
【図１０】
0003218973.tif 000012
【手続補正書】
【提出日】平成30年8月16日(2018.8.16)
【手続補正１】
【補正対象書類名】実用新案登録請求の範囲
【補正対象項目名】全文
【補正方法】変更
【補正の内容】
【実用新案登録請求の範囲】
【請求項１】
一種の快適な運動エネルギー構造を有するソールであり、フットスキャン解析に基づいて、足の骨格排列に符合し、足の自然な曲率をフィットし、前足支持領域、中足支持領域、およびかかと支持領域として設けられ、前記前足支持領域は、同じ厚さの平坦な支持面で前足にフィットし、前記中足支持領域は、中足のアーチの起点からアーチの高点を通ってアーチの終点まで徐々に厚さを増し、かつ、湾曲した突起によってアーチにフィットし、前記かかと支持領域は最大厚さのカップ状の支持面でかかとにフィットすることを特徴とする快適な運動エネルギー構造を有するソール。
【請求項２】
前記中足支持領域は、内側アーチ支持領域、外側アーチ支持領域および横方向アーチ支持領域に分けることができることを特徴とする、請求項１に記載の快適な運動エネルギー構造を有するソール。
【請求項３】
前記中足支持領域は、アーチの骨格構造により、アーチの起点からアーチの高点を通ってアーチの終点まで徐々に厚さが増し、アーチの起点における外側アーチ支持領域の厚さはアーチの高点における外側アーチ支持領域の厚さとアーチの終点における外側アーチ支持領域の厚さよりも薄く、前記湾曲した突起は内側アーチにフィットすることを特徴とする、請求項２に記載の快適な運動エネルギー構造を有するソール。
【請求項４】
前記中足支持領域は、アーチの骨格構造により、アーチの起点からアーチの高点を通ってアーチの終点まで徐々に厚さが増し、アーチの起点における外側アーチ支持領域の厚さはアーチの高点における外側アーチ支持領域の厚さとアーチの終点における外側アーチ支持領域の厚さよりも薄く、前記湾曲した突起は外側アーチにフィットすることを特徴とする、請求項２に記載の快適な運動エネルギー構造を有するソール。
【請求項５】
前記内側アーチ支持領域は前記外側アーチ支持領域に向かって傾斜する傾向を有し、勾配を横方向アーチにフィットすることを特徴とする、請求項２に記載の快適な運動エネルギー構造を有するソール。
【手続補正書】
【提出日】平成30年9月21日(2018.9.21)
【手続補正１】
【補正対象書類名】実用新案登録請求の範囲
【補正対象項目名】全文
【補正方法】変更
【補正の内容】
【実用新案登録請求の範囲】
【請求項１】
一種の快適な運動エネルギー構造を有するソールであり、フットスキャン解析に基づいて、足の骨格排列に符合し、足の自然な曲率をフィットし、前足支持領域、中足支持領域、およびかかと支持領域として設けられ、前記前足支持領域は、同じ厚さの平坦な支持面で前足にフィットし、前記中足支持領域は、中足のアーチの起点からアーチの高点を通ってアーチの終点まで徐々に厚さを増し、かつ、湾曲した突起によってアーチにフィットし、前記かかと支持領域は最大厚さのカップ状の支持面でかかとにフィットすることを特徴とする快適な運動エネルギー構造を有するソール。
【請求項２】
前記中足支持領域は、内側アーチ支持領域、外側アーチ支持領域および横方向アーチ支持領域に分けることができることを特徴とする、請求項１に記載の快適な運動エネルギー構造を有するソール。
【請求項３】
前記中足支持領域は、アーチの骨格構造により、アーチの起点からアーチの高点を通ってアーチの終点まで徐々に厚さが増し、アーチの起点における内側アーチ支持領域の厚さはアーチの高点における内側アーチ支持領域の厚さとアーチの終点における内側アーチ支持領域の厚さよりも薄く、前記湾曲した突起は内側アーチにフィットすることを特徴とする、請求項２に記載の快適な運動エネルギー構造を有するソール。
【請求項４】
前記中足支持領域は、アーチの骨格構造により、アーチの起点からアーチの高点を通ってアーチの終点まで徐々に厚さが増し、アーチの起点における外側アーチ支持領域の厚さはアーチの高点における外側アーチ支持領域の厚さとアーチの終点における外側アーチ支持領域の厚さよりも薄く、前記湾曲した突起は外側アーチにフィットすることを特徴とする、請求項２に記載の快適な運動エネルギー構造を有するソール。
【請求項５】
前記内側アーチ支持領域は前記外側アーチ支持領域に向かって傾斜する傾向を有し、勾配を横方向アーチにフィットすることを特徴とする、請求項２に記載の快適な運動エネルギー構造を有するソール。